(57)【要約】【課題】  レーザダイオードの取付け作業工程で圧入取付け工程を行わずに組み立てることができるものでありながら、レーザダイオードの固定状態が安定して高い取付け信頼性を備えた光ピックアップを提供する。レーザダイオードを光学基台に押し付けているホルダー自体の心出し作用によってレーザダイオードを調心する。【解決手段】  レーザダイオード１をホルダー２を用いて光学基台４に取り付けている。取付けビス３で光学基台４の定位置に位置決めして締付け固定した金属製のホルダー２のテーパ形の押圧面２５で、レーザダイオード１の円鍔形ベース１３の後面外周のコーナ部１３ｃの全体を押し付けさせる。【選択図】        図２
2005190572.tif 000002
【特許請求の範囲】
【請求項１】
光源としてのレーザダイオードがホルダーを用いて光学基台に取り付けられている光ピックアップにおいて、
ビスで光学基台の定位置に位置決めして締付け固定された金属製のホルダーのテーパ形の押圧面で、上記光学基台の平坦な基準面に前面を載架したレーザダイオードの円鍔形ベースの後面外周のコーナ部全体が上記ビスの締付力によって押し付けられることによって、そのレーザダイオードが心出し調整されていると共に、上記円鍔形ベースが上記基準面と上記押圧面とで挟圧保持されており、
上記ホルダーに、上記レーザダイオードの円鍔形ベースから突出された端子ピンが貫挿された貫通孔が備わっていることを特徴とする光ピックアップ。
【請求項２】
光源としてのレーザダイオードがホルダーを用いて光学基台に取り付けられている光ピックアップにおいて、
ビスで光学基台の定位置に締付け固定されたホルダーのテーパ形の押圧面で、上記光学基台の平坦な基準面に前面を載架したレーザダイオードの円鍔形ベースの後面外周のコーナ部全体を上記ビスの締付力によって押し付けることによって、上記円鍔形ベースを上記基準面と上記押圧面とで挟圧保持させてあることを特徴とする光ピックアップ。
【請求項３】
光学基台の基準面に前面が載架された上記レーザダイオードの円鍔形ベースの後面外周のコーナ部全体が上記ホルダーの押圧面で押し付けられることによって、そのレーザダイオードが心出し調整されている請求項２に記載した光ピックアップ。
【請求項４】
金属製の上記ホルダーに、上記レーザダイオードの円鍔形ベースから突出された端子ピンが貫挿された貫通孔が備わっている請求項２又は請求項３に記載した光ピックアップ。
【発明の詳細な説明】
【技術分野】
【０００１】
本発明は、光ピックアップ、特に、光源としてのレーザダイオードがホルダーを用いて光学基台に取り付けられている光ピックアップに関する。
【背景技術】
【０００２】
図６は従来の光ピックアップの要部の正面図、図７は図６のＶＩＩ−ＶＩＩ線に沿う部分の概略断面図である。
【０００３】
従来の光ピックアップにおいて、光源としてのレーザダイオード１は、発光部１２が一定の厚さを有する金属製の円鍔形ベース１３の前面１３ａから突出しているのに対し、その円鍔形ベース１３の後面１３ｂから所要本数のリード端子１４が突出している。このレーザダイオード１は、その円鍔形ベース１３を金属製の板片状のホルダー２に開設されている円形孔２１に圧入することによってホルダー２に固着されていて、発光部１２がホルダー２の遊嵌孔２２に収容されている。そして、レーザダイオード１の心出し調整が、円鍔形ベース１３の前面１３ａの全体を、ホルダー２の円形孔２１に備わっている段付状の平坦な基準面２３に重ね合わせることによって行われている。ここでいう「心出し調整」とは、レーザダイオード１の光軸の向きを、図示していない光学部品としてのハーフミラーの反射面の角度などとの関係で適正な向きに合わせるのに必要な調整のことであって、円鍔形ベース１３の前面１３ａの全体が上記基準面２３に重なっているときに要求性能を満足する心出し精度が得られる。なお、レーザダイオード１の周方向での位置決めが、円鍔形ベース１３の外周部の凹所１５を、円形孔２１の周面に形成した突部２４に嵌合することによって行われるようになっている。
【０００４】
また、レーザダイオード１が圧入によって固着されているホルダー２は、複数箇所（図例では２箇所）のビス挿通孔に挿通させた取付けビス３を合成樹脂成形体でなる光学基台４のビス孔にねじ込んで締め付けることによって、光学基台４の定位置に取り付けられている。光学基台４に対するホルダー２の位置合わせは、ホルダー２の数箇所に設けられている位置決め突起２４を、光学基台４に設けられている位置決め孔４１に嵌合することによって行われている。
【０００５】
他の従来例として、ピックアップ本体の表面から突出しているレーザダイオードの端子面を、ピックアップ本体にビス締めしたオサエ板で押さえることによって、レーザダイオードをピックアップ本体に固定することが知られている（特許文献１参照）。さらに他の従来例として、レーザダイオードの台座を基台に押圧して固定するための金属板でなる押圧部材にその押圧部材をまっすぐに横切る切り込みを設け、その切り込みを挾んだ両側で押圧部材を基台にビス締めすることによって、その押圧部材を切り込み箇所で折り曲げてレーザダイオードの台座を押圧させるようにする技術が知られている（特許文献２参照）。
【特許文献１】特開昭６２−２９６３８号公報
【特許文献２】実開平１−１５９２２２号公報
【発明の開示】
【発明が解決しようとする課題】
【０００６】
しかしながら、図６や図７で説明した従来の光ピックアップでは、レーザダイオード１を光学基台４に取り付ける手順として、レーザダイオード１の円鍔形ベース１３をホルダー２の円形孔２１に圧入することによってレーザダイオード１をホルダー２に固着した後で、そのホルダー２を光学基台４の定位置に位置決めしてビス止めする、という手順を採用することが必要である。そのため、レーザダイオード１の取付け作業工程に、レーザダイオード１の円鍔形ベース１３をホルダー２の円形孔２１に圧入して取り付けるという圧入取付け工程と、ホルダー２を光学基台４にビス止めするというビス止め取付け工程とが含まれ、そのうちの圧入取付け工程は熟練を要する上に時間のかかる工程であるために、レーザダイオード１の取付け作業工程では、圧入取付け工程を行うために必要な作業人員や組立時間が余分に必要になっていた。
【０００７】
これに対し、特許文献１に記載されている技術は、ピックアップ本体にビス締めしたオサエ板でレーザダイオードの端子面を押さえるというものであり、特許文献２に記載されている技術は、基台にビス締めした押圧部材でレーザダイオードを押圧するというものであるために、これらの技術によれば、上記した圧入取付け工程を行うことが必ずしも不可欠ではないとも考えられる。
【０００８】
しかしながら、特許文献１に記載されている技術では、ピックアップ本体にビス締めしたオサエ板を、ピックアップ本体から突出しているレーザダイオードの取付部（円鍔形ベースに相当する）の外周コーナ部に押し付けて変形させ、そのように変形したオサエ板でレーザダイオードの取付部を押し付けたり、ビス締めに用いられるビスの頭でレーザダイオードの取付部をオサエ板を介して押し付けたりしている。このうち、オサエ板の変形を伴う前者では、レーザダイオードの取付部が円鍔形である場合に、オサエ板がレーザダイオードの取付部の外周コーナ部の互いに反対側に位置する２箇所だけに当接してその２箇所だけを押し付けるに過ぎなくなるので、レーザダイオードの取付部の外周コーナ部の全体を押し付けて固定する場合に比べて固定状態が不安定になって、取付け後には、レーザダイオードが位置ずれしたりぐらついたりするおそれがある。また、ビスの頭でレーザダイオードの取付部をオサエ板を介して押し付けるという後者では、ビスを締め付けるときの摩擦力でレーザダイオードが位置ずれするおそれがあり、取付け精度、特に上記した心出し精度を確保しにくくなるおそれがある。
【０００９】
また、特許文献２に記載されている技術は、まっすぐな切り込みを挾んだ両側で押圧部材を基台にビス締めすることによって、その押圧部材を切り込み箇所で折り曲げてレーザダイオードの台座を押圧させるというものであるので、特許文献１の技術を適用する場合と同様に、レーザダイオードの台座が円鍔形である場合に、押圧部材が台座の外周コーナ部の互いに反対側に位置する２箇所だけに当接してその２箇所だけを押し付けるに過ぎなくなるので、台座の外周コーナ部の全体を押し付けて固定する場合に比べて固定状態が不安定になって、取付け後には、レーザダイオードが位置ずれしたりぐらついたりするおそれがある。また、押圧部材の強度が切り込み箇所で弱くなっているだけでなく、その切り込み箇所が折り曲げられることによってさらに切り込み箇所の強度が低下するので、押圧部材が切り込み箇所で割れたり亀裂を生じたりするおそれが皆無ではない。そのため、この点からも、固定状態が不安定になって、取付け後には、レーザダイオードが位置ずれしたりぐらついたりするおそれがあるということが云え、さらにレーザダイオードの取付け信頼性も得にくくなるおそれがあるということが云える。
【００１０】
本発明は以上の状況に鑑みてなされたものであり、レーザダイオードの取付け作業工程から圧入取付け工程を抹消し、それによって圧入取付け工程を行うために必要な作業人員や組立時間を省略することができるにもかかわらず、レーザダイオードの固定状態が安定して高い取付け信頼性が得られる光ピックアップを提供することを目的とする。
【００１１】
また、本発明は、レーザダイオードをホルダーを介して光学基台に取り付けるだけで、自然にレーザダイオードが心出し調整されるようになる光ピックアップを提供することを目的とする。
【課題を解決するための手段】
【００１２】
本発明に係る光ピックアップは、光源としてのレーザダイオードがホルダーを用いて光学基台に取り付けられている光ピックアップにおいて、ビスで光学基台の定位置に締付け固定されたホルダーのテーパ形の押圧面で、上記光学基台の平坦な基準面に前面を載架したレーザダイオードの円鍔形ベースの後面外周のコーナ部全体を上記ビスの締付力によって押し付けることによって、上記円鍔形ベースを上記基準面と上記押圧面とで挟圧保持させてある、というものである。
【００１３】
この発明によれば、レーザダイオードの円鍔形ベースの後面外周のコーナ部全体が、ビスで光学基台の定位置に締付け固定されたホルダーのテーパ形の押圧面で押し付けられているので、その円鍔形ベースの後面外周のコーナ部の互いに反対側の２箇所を押し付けたもの（特許文献１や特許文献２で開示された技術）に比べて固定状態が格段に安定して高い取付け信頼性が得られるようになる。
【００１４】
本発明では、光学基台の基準面に前面が載架された上記レーザダイオードの円鍔形ベースの後面外周のコーナ部全体が上記ホルダーの押圧面で押し付けられることによって、そのレーザダイオードが心出し調整されているという構成を採用することが可能である。この発明において、レーザダイオードが心出し調整は、ホルダーのテーパ形の押圧面が発揮する調心作用によって行われる。そのため、レーザダイオードをホルダーを用いて光学基台に取り付けるだけで、自然にレーザダイオードが心出し調整される。
【００１５】
本発明では、金属製の上記ホルダーに、上記レーザダイオードの円鍔形ベースから突出された端子ピンが貫挿された貫通孔が備わっていることが望ましい。
【００１６】
本発明に係る光ピックアップは、光源としてのレーザダイオードがホルダーを用いて光学基台に取り付けられている光ピックアップにおいて、ビスで光学基台の定位置に位置決めして締付け固定された金属製のホルダーのテーパ形の押圧面で、上記光学基台の平坦な基準面に前面を載架したレーザダイオードの円鍔形ベースの後面外周のコーナ部全体が上記ビスの締付力によって押し付けられることによって、そのレーザダイオードが心出し調整されていると共に、上記円鍔形ベースが上記基準面と上記押圧面とで挟圧保持されており、上記ホルダーに、上記レーザダイオードの円鍔形ベースから突出された端子ピンが貫挿された貫通孔が備わっているという構成を採用することによっていっそう具体化される。この発明によれば、特に、ホルダーが光学基台の定位置に位置決めされた状態でビスで締付け固定されているので、ホルダーの押圧面の調心作用によって心出し調整されたレーザホルダーの取付精度がいっそう向上する。
【発明の効果】
【００１７】
以上のように、本発明によれば、レーザダイオードの取付け作業工程で圧入取付け工程を行わずに組み立てることができるものでありながら、レーザダイオードの固定状態が安定して高い取付け信頼性を備えた光ピックアップを提供することが可能になる。また、レーザダイオードを光学基台に押し付けているホルダー自体が心出し作用を発揮するので、高精度で心出しされたレーザダイオードを備える光ピックアップを提供することが可能になる。また、本発明に係る光ピックアップは、安価に製作することができるものでありながら、安定した読取り書込み性能を発揮する。
【発明を実施するための最良の形態】
【００１８】
図１は本発明の実施形態に係る光ピックアップの要部の一部破断正面図、図２は図１のＩＩ−ＩＩ線に沿う部分の概略断面図、図３は図１のＩＩＩ−ＩＩＩ線に沿う部分の概略断面図である。また、図４は他の実施形態に係る光ピックアップの要部の概略断面図、図５はさらに他の実施形態の要部の拡大断面図である。
【００１９】
この光ピックアップでは、光源としてのレーザダイオード１が、金属で作られた剛体としての板片状のホルダー２を用いて合成樹脂成形体でなる光学基台４に取り付けられている。そして、レーザダイオード１の発光部１２から出た光が、光学基台４に取り付けられているハーフミラーなどの光学部品（不図示）の作用によってディスク（不図示）に作用し、そのディスクへのデータの記録やそのディスクの記録されているデータの再生が行われるようになっている。
【００２０】
光学基台４には、レーザダイオード１の円鍔形ベース１３の直径よりも径大な円形孔２１が備わっていると共に、その円形孔２１に段付状に平坦な基準面２３が円環状に設けられ、さらに、円形孔２１と同心の遊嵌孔２２が備わっている。レーザダイオード１の円鍔形ベース１３は上記円形孔２１に嵌合されていて、その円鍔形ベース１３の前面１３ａが上記基準面２３に載架されてその基準面２３に重なり合い、かつ、発光部１２が遊嵌孔２２に挿入されている。
【００２１】
ホルダー２には、外拡がりテーパ形の押圧面２５が円環状に備わっていると共に、その押圧面２５の中心部に貫通孔２６が備わっている。押圧面２５の外周の輪郭線２５ａの直径はレーザダイオード１の円鍔形ベース１３の直径よりも大きく、押圧面２５の内周の輪郭線２５ｂの直径はレーザダイオード１の円鍔形ベース１３の直径よりも小さくなっている。そして、上記貫通孔２６にレーザダイオード１の円鍔形ベース１３の後面１３ｂから突出している端子ピン１４を貫挿させたホルダー２の上記押圧面２５を上記円鍔形ベース１３の上に載置し、その状態で、押圧面２５を挟む両側の２箇所でそのホルダー２に設けられているビス挿通孔２７に挿通させた取付けビス３を光学基台４のビス孔４２にねじ込んで締め付けてある。また、ホルダー２は、取付けビス３の締付け前に光学基台４に対して定位置に位置合わせ（位置決め）されているのであって、その位置合わせは、ホルダー２の数箇所（図例では押圧面２５を挟む両側の２箇所）に設けられている位置決め突起２４を、光学基台４に設けられている位置決め孔４１に嵌合することによって行われている。
【００２２】
なお、図２及び図３において、ｈは取付けビス３の締め代として光学基台４とホルダー２との間に形成される隙間を示している。
【００２３】
上記構成によってレーザダイオード１がホルダー２を用いて光学基台４に取り付けられていると、レーザダイオード１の円鍔形ベース１３が光学基台４の基準面２３とホルダー２のテーパ形の押圧面２５とで挟圧保持された状態になる。そのため、ホルダー２を取付けビス３で締め付ける前の段階でたとえレーザダイオード２の円鍔形ベース１３が円形孔２１の内部で位置ずれしていたとしても、ホルダー２を取付けビス３で光学基台４に対して締め付けたときに、ホルダー２のテーパ形の押圧面２５が調心作用を発揮して上記円鍔形ベース１３の位置が適正位置に修正され、レーザダイオード１が自然に心出し調整される。そのため、この構成を備えた光ピックアップでは、レーザダイオード１が正確に心出し調整されていて、レーザダイオード１の光軸と上記したハーフミラーなどの他の光学部品との位置関係も適切に設定されている。
【００２４】
また、円鍔形ベース１３を押圧しているホルダー２のテーパ形の押圧面２５が円環状に形成されていて、その押圧面２５が、円鍔形ベース１３の後面外周のコーナ部１３ｃの全体に当接しているので、円鍔形ベース１３の前面１３ａと基準面２３との重なり箇所では、偏荷重を発生することなくその重なり箇所の全体に一様な押圧力が生じている。そのために、レーザダイオード１の固定状態が安定して高い取付け信頼性が得られている。
【００２５】
この実施形態では、レーザダイオード１の円鍔形ベース１３を光学基台４の円形孔２１に嵌め込んでその前面１３ａを基準面２３に重ね合わせてあるけれども、この点は、図２に示した光学基台４の円形孔２１を省略する代わりに、たとえば図４に示したように、光学基台４の外面を平坦な基準面２３として形成し、その基準面２３にレーザダイオード１の円鍔形ベース１３の前面１３ａを重ね合わせ、その状態で、ホルダー２を光学基台４にビス止めしてそのテーパ形の押圧面２５で円鍔形ベース１３の後面外周のコーナ部１３ｃを押圧しておいてもよい。
【００２６】
また、図５に示したように、レーザダイオード１の円鍔形ベース１３の後面外周のコーナ部１３ｃに傾斜した面取り面によって形成しておいてもよく、こうしておくと、ホルダー２の押圧面２５と円鍔形ベース１３の後面外周のコーナ部１３ｃとの滑り性が向上するので、ホルダー２を取付けビスで光学基台４に締め付けたときの心出し調整が円滑に行われやすくなるという利点がある。
【図面の簡単な説明】
【００２７】
【図１】本発明の実施形態に係る光ピックアップの要部の一部破断正面図である。
【図２】図１のＩＩ−ＩＩ線に沿う部分の概略断面図である。
【図３】図１のＩＩＩ−ＩＩＩ線に沿う部分の概略断面図である。
【図４】他の実施形態に係る光ピックアップの要部の概略断面図である。
【図５】さらに他の実施形態の他の要部の拡大断面図である。
【図６】従来の光ピックアップの要部の正面図である。
【図７】図６のＶＩＩ−ＶＩＩ線に沿う部分の概略断面図である。
【符号の説明】
【００２８】
１  レーザダイオード
２  ホルダー
３  取付けビス
４  光学基台
１３ａ  円鍔形ベースの前面
１３ｂ  円鍔形ベースの後面
１３ｃ  円鍔形ベースの後面外周のコーナ部
１４  端子ピン
２３  基準面
２５  押圧面
２６  貫通孔
【図１】
2005190572.tif 000003
【図２】
2005190572.tif 000004
【図３】
2005190572.tif 000005
【図４】
2005190572.tif 000006
【図５】
2005190572.tif 000007
【図６】
2005190572.tif 000008
【図７】
2005190572.tif 000009